(57)【要約】【課題】通常時及び非常時の消費電力を抑えつつ、構造が単純でコストの低い照明器具を提供する。【解決手段】誘導灯は、商用電源ＡＣを直流電源に変換する電源変換回路を含む制御回路１６と、直流電源を電源として点灯する複数の発光ダイオード１１とを備える。また誘導灯は、直流電源からの電力によって充電される蓄電池１５と、停電時などの非常時に蓄電池１５を電源として点灯するランプ１２とを備える。制御回路１６は、商用電源ＡＣからの電力供給が停止すると、発光ダイオード１１及び蓄電池１５への電力供給を停止して、蓄電池１５に蓄電された電力をランプ１２に供給する。【選択図】図１
2011165619.tif 000002
【特許請求の範囲】
【請求項１】
商用電源を直流電源に変換する電源変換回路と、
前記直流電源を電源として点灯する常用光源と、
前記直流電源からの電力によって充電される蓄電池と、
非常時に前記蓄電池を電源として点灯する非常用光源とを備え、
前記常用光源を発光ダイオードとしたことを特徴とする照明器具。
【発明の詳細な説明】
【技術分野】
【０００１】
本発明は、非常時に蓄電池からの電力により発光する照明器具に関するものである。
【背景技術】
【０００２】
従来から、非常灯、保安灯、及び、誘導灯のように、停電時や火災発生時などの商用電源からの電源供給が行われない非常時においても、光源を点灯可能な照明器具が種々考えられている（例えば、特許文献１を参照）。
【０００３】
この特許文献１に記載の照明器具では、光源として蛍光灯を備え、商用電源からの電力供給が行われる通常時には、照明器具に設けられたインバータ回路によって蛍光灯が点灯される。また非常時には、照明器具に設けられた蓄電池に蓄電された電力に基づいて蛍光灯が点灯される。この蓄電池は、通常時に商用電源からの供給電力によって充電されている。
【０００４】
またこの種の照明器具は、特に非常時において安定的且つ長時間点灯できることが求められており、非常時における光源として、蓄電池から直流電力を直接供給可能な光源（例えば、ハロゲンランプなど）を用いた照明器具も提供されている。
【先行技術文献】
【特許文献】
【０００５】
【特許文献１】特開２００４−１２７９０７号公報
【発明の概要】
【発明が解決しようとする課題】
【０００６】
しかしながら、上述のような照明器具では、非常用の光源となるハロゲンランプへの電力を供給する電源回路とは別に、常用光源となる蛍光灯を点灯させるための電源回路が必要であった。このため照明器具は、各電源回路を収納する為の収納スペースが大きくなるので小型化が難しく、また、複数の電源回路を備えるためにコスト高を招くという問題があった。
【０００７】
本発明は、上記事由に鑑みて為されたものであり、その目的とするところは、通常点灯時における消費電力を抑えつつ、小型で低コストの照明器具を提供することにある。
【課題を解決するための手段】
【０００８】
上記目的を達成するために、第１の発明では、商用電源を直流電源に変換する電源変換回路と、前記直流電源を電源として点灯する常用光源と、前記直流電源からの電力によって充電される蓄電池と、非常時に前記蓄電池を電源として点灯する非常用光源とを備え、前記常用光源を発光ダイオードとしたことを特徴とする。
【発明の効果】
【０００９】
本発明によれば、常用光源として発光ダイオードを用いることで通常点灯時における消費電力を抑えるとともに、常用光源を点灯する電源回路で非常用光源の電源回路を兼用できるので、小型で低コストな照明器具を提供することができる。
【図面の簡単な説明】
【００１０】
【図１】本発明の実施の形態にかかる照明器具を示し、（ａ）は側面図、（ｂ）は後背面図である。
【図２】同照明器具を示す概略ブロック図である。
【発明を実施するための形態】
【００１１】
以下、本発明の技術思想を誘導灯に適用した実施の形態について、図１〜２に基づいて説明する。なお、以下の説明においては、図１（ａ）における上下を誘導灯１の上下とし、図１（ａ）左右を誘導灯１の前後として説明を行う。
【００１２】
本実施の形態にかかる誘導灯１、壁面などの造営面に取り付けられ、商用電源ＡＣからの電力供給を受けて動作し、停電時や火災発生時などの非常時においては、内蔵の蓄電池１５を電源として点灯する照明器具である。誘導灯１は、図１（ａ）、（ｂ）に示すように、表面に複数の発光ダイオード１１が配置された器具本体２１と、器具本体２１の前方に取り付けられたカバー２２とを備える。
【００１３】
カバー２２は、例えば、平板状の半透明な板ガラスからなり、その上下及び左右の寸法は、器具本体２１の直径よりも若干大きな大きさに設定されている。またカバー２２は、器具本体２１の前方に突出する取付台２３にネジなどによって取り付けられ、器具本体２１の前面側から所定の間隔を開けるようにして器具本体２１取り付けられている。
【００１４】
器具本体２１は、厚み方向が前後方向となる略円盤状に形成されており、前方側表面の同一円周上に所定の間隔をおいて、複数の発光ダイオード１１が配置されている。また器具本体２１は、下側側面の一部が切り欠かれた凹部２４を有し、非常用の光源となるランプ１２を着脱自在に取り付け可能なソケット（図示せず）を備える。ランプ１２は、非常時に点灯する非常用の光源であり、例えばハロゲンランプなどの直流電力により点灯し、輝度が高く、耐熱温度の高いランプが用いられる。
【００１５】
また器具本体２１の凹部２４近傍には、誘導灯１が正常に動作可能な状態であるかを確認するための点検スイッチ１３と、蓄電池１５に蓄電されている電力量に応じて発光する発光ダイオードからなる充電表示灯１４とが設けられている。
【００１６】
また器具本体２１は、誘導灯１の動作を制御する制御回路１６と、商用電源ＡＣからの電力供給が行われない場合に、ランプ１２を点灯させるための電力源となる蓄電池１５とを備える（図２を参照）。
【００１７】
制御回路１６は、商用電源ＡＣから供給される交流電力を直流電力に変換する電源回路、電源回路からの直流電力に基づいて蓄電池１５を充電する充電回路、及び、発光ダイオード１１及びランプ１２を点灯させるための点灯回路などからなる。なお、電源回路、充電回路、及び、点灯回路の各回路については、従来周知の技術であるので説明は省略する。
【００１８】
制御回路１６は、商用電源ＡＣからの電力供給が正常に行われる通常時は、商用電源ＡＣからの交流電力を電源回路を用いて直流電力に変換し、発光ダイオード１１を点灯させるとともに、蓄電池１５の充電を行う。ここで制御回路１６は、停電や火災が発生し、商用電源ＡＣからの電力供給が正常に行われなくなると、発光ダイオード１１への点灯電力及び蓄電池１５への充電電力の供給を停止する。その後、制御回路１６は、蓄電池１５に蓄電された直流電力をランプ１２に供給し、ランプ１２を点灯させる。
【００１９】
このようにして、誘導灯１は、停電時や火災発生時などの非常時においても、光源の点灯を可能としている。ここで誘導灯１は、常用光源として発光ダイオード１１を利用しているので、従来の蛍光灯などを光源とする場合と比較して消費電力が低減する。
【００２０】
また、常用光源である発光ダイオード１１と、非常用光源であるランプ１２とは、いずれも直流電力によって点灯することができるので、電源回路をそれぞれ個別に設ける必要が無く、制御回路１６の回路規模を小さくすることができる。これにより、各回路を収納する収納スペースが小さくて済むので、誘導灯１は小型化が図れるとともに、コストを低減することができる。
【００２１】
また発光ダイオード１１は、ＬＥＤチップを樹脂で封止しているため熱に弱いため、非常用の光源として、例えばハロゲンランプなどの耐熱性のランプを利用している。これにより、火災発生によって誘導灯１の周囲の温度が高くなった場合であっても、正常に点灯することができる。
【００２２】
なお、本実施の形態では、誘導灯を例にして説明したが、誘導灯以外の非常灯や保安灯に本発明の技術思想を適応してもよい。
【符号の説明】
【００２３】
１          誘導灯（照明器具）
１１        発光ダイオード
１２        ランプ
１３        点検スイッチ
１４        充電表示灯
１５        蓄電池
１６        制御回路
２１        器具本体
２２        カバー
【図１】
2011165619.tif 000003
【図２】
2011165619.tif 000004